(57)【要約】      （修正有）【課題】電子のラブは自転する事により磁気の光子を作り、公転する事により電気の光子を作る。電子のラブはどうしてこの事ができるのか。この事を利用して発電機を提供する。【解決手段】電子のラブの比重は2.663×1056g/cm3である。それで、電子のラブが回転する時、まるで重い石が回転するときのように、カーブする時エネルギーを発生する。このエネルギーが磁気の光子のエネルギーに成り、電気の光子のエネルギーに成る。電子のラブは螺旋回転６をしながら公転するとき、磁気の光子と電気の光子を作る。それで、発電機を作る場合、電子のラブの回転のように作るとよい。電子のラブの回転の拡大形を作ったらよい。螺旋回転を円状に作り、これに電子を走らせる。そうすると、電子のラブの比重は2.663×1056g/cm3で、カーブしながら走るので、エネルギーを発生させながら走る。【選択図】図２
2019186976.tif 000002
【特許請求の範囲】
【請求項１】
どうして電子のラブは自転して磁気の光子を作ることができるか。
電子のラブの比重は2.663×1056g/cm3です。(この事については、2018年3月5日に提出した、特願2018-038275の「請求項４」に記した)
電子のラブの大きさは、1.233×10-41Jm÷(8.187×10-14J)＝1.506×10-28m、です。
電子のラブの自転軌道は、電子のラブの公転軌道×3.14÷1公転の自転数＝1.058×10-10m×3.14÷(7.96×107)回＝4.175×10-18m、です。
電子のラブが1自転する時、比重が2.663×1056g/cm3であり、大きさが1.506×10-28mである物が4.175×10-18mの軌道を走る。その時、まっすぐ走らず、方向を変え、カーブする。この時エネルギーを発する。これが磁気の光子のエネルギーに成る。重い石が曲がりながら走る時エネルギーを発する。と考えたら良い。この電子のラブが発するエネルギーが磁気の光子のエネルギーです。1自転でできる磁気の光子1個のエネルギーは1.464×10-39Jです。この時、電気の光子1.464×10-39Jも作っている。
即ち、電子のラブは自転して磁気の光子を作ることができる原理は、電子のラブの比重が2.663×1056g/cm3であるからです。
【請求項２】
どうして電子のラブは１公転して電気の光子1個を作ることができるか。
電子のラブが1公転してできる物が電気の光子1個であるからです。
【請求項３】
電子のラブが自転して磁気の光子を作り、公転して電気の子の光子を作る。この構造を利用して発電機を作りたい。
電子のラブが自転して磁気の光子を作り、公転して電気の子の光子を作る。この構造を利用して発電機を作りたい。そのためにはとのようにするとできるか。
電子のラブが自転して磁気の光子を作り、公転して電気の子の光子を作る。この構造を利用して発電機を作るためには、電子のラブの構造を拡大したらよい。
【請求項４】
電子のラブの構造はどのようであるか。
地表の場合、電子のラブの公転軌道は、8.665×10-24Jm÷電子のラブの質量エネルギー＝8.665×10-24Jm÷(8.187×10-14J)＝1.058×10-10m、です。
電子のラブの自転軌道は、公転軌道×3.14÷1公転するときの自転数＝1.058×10-10m×3.14÷(7.96×107回)＝4.175×10-18m、です。
電子の構造は、直径1.058×10-10mの球体の内側に、自転軌道が4.175×10-18mの螺旋状の軌道が7.96×107個並んでいる。この中を1個の電子のラブが走っている。
【請求項５】
電子のラブの構造を拡大するとどのようであるか。
この型の拡大型を作る。拡大した拡大数と同じ数の電子のラブ(電子)を回転させる。
例えば、1010倍に拡大すると、直径1.058mの球体の内側に、 4.175×10-8mの螺旋状の軌道が7.96×107個並んでいる。この中を1010個の電子が走る。
例えば、1015倍に拡大すると、直径1.058×105mの球体の内側に、 4.175×10-3mの螺旋状の軌道が7.96×107個並んでいる。この中を1015個の電子が走る。
【請求項６】
発電機の構造を円形にした場合はどのようになるか。
電子のラブが1回転する場合を考える。
電子のラブは1.058×10-10mの軌道を4.175×10-18mの螺旋回転を7.96×107回回転しながら走る。
電子の構造は、直径1.058×10-10mの円形の内側に、4.175×10-18mの螺旋状の軌道が7.96×107個並んでいる。この中を1個の電子のラブが走っている。
【請求項７】
電子のラブが1回転する場合の拡大構造はどのようであるか。
電子のラブが1回転する場合、直径1.058×10-10mの円形の内側に、4.175×10-18mの螺旋状の軌道が7.96×107個並んでいる中を走る。
それで、直径1.058×10-10mの円形の内側に、4.175×10-18mの螺旋状の軌道が7.96×107個並んでいる物の拡大構造を作る。
例えば、1010倍に拡大すると、直径1.058mの円形の内側に、 4.175×10-8mの螺旋状の軌道が7.96×107個並んでいる。この中を1010個の電子が走る。
例えば、1015倍に拡大すると、直径1.058×105mの円径の内側に、 4.175×10-3mの螺旋状の軌道が7.96×107個並んでいる。この中を1015個の電子が走る。
例えば、1018倍に拡大すると、直径1.058×108mの円径の内側に、 4.175×1mの螺旋状の軌道が7.96×107個並んでいる。この中を1017個の電子が走る。
【請求項８】
電子のラブの回転の原理を利用して発電機を作る場合どのような事が重要であるか。
電子のラブの回転の原理を利用して発電機を作る場合、重要な事は、電子が螺旋回転しながら走る事によって電気の光子ができることです。
それで、電子を螺旋回転させ走らせる事により電気の光子を作る。これが発電機の原理となる。
【請求項９】
発電機の原理は電子を螺旋回転させ走らせる事により電気の光子を作る事です。
【請求項１０】
発電機の原理は電子を螺旋回転させ走らせる事により電気の光子を作る事であるから、発電機のサイズは任意である。螺旋回転の回転数も任意である。
【発明の詳細な説明】
【技術分野】
【０００１】
本発明は、発電機構に関するものである。
【背景技術】
【０００２】
電子のラブは自転して磁気の光子を作り、公転して電気の光子を作る。陽子のラブは自転して磁気の光子を作り、公転して電気の光子を作る。
【先行技術文献】
【特許文献】
【０００３】
【特許文献１】特願2006-336352
【特許文献１】特願2018-038275
【発明の概要】
【発明が解決しようとする課題】
【０００４】
電子のラブは自転して磁気の光子を作り、公転して電気の光子を作る。この原理を利用して、発電機を作る。陽子のラブは自転して磁気の光子を作り、公転して電気の光子を作る。この原理を利用して、発電機を作る。
【課題を解決するための手段】
【０００５】
電子のラブが1公転するときの形のを応用した発電機を作る。
【発明の効果】
【０００６】
電子のラブが自転し磁気の光子を作り、公転し、電気の光子を作る原理から、このメカニズムを利用し発電機構ができた。
【図面の簡単な説明】
【０００７】
【図１】１．    どうして電子のラブは自転して磁気の光子を作ることができるか。電子のラブは自転して磁気の光子を作ることができる原理電子のラブの比重は2.663×1056g/cm3です。この事については、2018年3月5日に提出した、特願2018-038275の「請求項４」に記した。電子のラブの大きさは、1.233×10-41Jm÷(8.187×10-14J)＝1.506×10-28m、です。電子のラブの自転軌道は、電子のラブの公転軌道×3.14÷1公転の自転数＝1.058×10-10m×3.14÷(7.96×107)回＝4.174×10-18m、です。電子のラブが1自転で作る磁気の光子1個のエネルギーは、1.233×10-41Jm÷公転軌道÷1公転でできる磁気の光子の数＝1.233×10-41Jm÷(1.058×10-10m)÷(7.96×107)個＝1.464×10-39J、です。電子のラブが1自転する時、比重が2.663×1056g/cm3であり、大きさが1.506×10-28mである物が4.175×10-18mの軌道を走る時、まっすぐ走らず曲がる。この時エネルギーを発する。これが磁気の光子のエネルギーに成る。重い石が曲がりながら走る時エネルギーを発する。と考えたら良い。この電子のラブが作るエネルギーが磁気の光子のエネルギーです。1自転でできる磁気の光子1個のエネルギーは1.464×10-39Jです。この時、電気の光子1.464×10-39Jも作っている。即ち、電子のラブは自転して磁気の光子を作ることができる原理は、電子のラブの比重が2.663×1056g/cm3であるからです。
【図２】電子のラブが1回転する場合、直径1.058×10-10mの円形の内側に、4.175×10-18mの螺旋状の軌道が7.96×107個並んでいる中を1回走る。それで、直径1.058×10-10mの円形の内側に、4.175×10-18mの螺旋状の軌道が7.96×107個並んでいる物の拡大構造を作る。例えば、1018倍に拡大すると、直径1.058×108mの円径の内側に、4.175×1mの螺旋状の軌道が7.96×107個並んでいる。この中を1017個の電子が走る。発電機の原理は電子を螺旋回転させ走らせる事により電気の光子を作る事であるから、発電機のサイズは任意である。螺旋回転の回転数も任意である。
【発明を実施するための形態】
【０００８】
１．    どうして電子のラブは自転して磁気の光子を作ることができるか。
電子のラブの比重は2.663×1056g/cm3です。(この事については、2018年3月5日に提出した、特願2018-038275の「請求項４」に記した)
電子のラブの大きさは、1.233×10-41Jm÷(8.187×10-14J)＝1.506×10-28m、です。
電子のラブの自転軌道は、電子のラブの公転軌道×3.14÷1公転の自転数＝1.058×10-10m×3.14÷(7.96×107)回＝4.175×10-18m、です。
電子のラブが1自転する時、比重が2.663×1056g/cm3であり、大きさが1.506×10-28mである物が4.175×10-18mの軌道を走る。その時、まっすぐ走らず、方向を変え、カーブする。この時エネルギーを発する。これが磁気の光子のエネルギーに成る。重い石が曲がりながら走る時エネルギーを発する。と考えたら良い。この電子のラブが発するエネルギーが磁気の光子のエネルギーです。1自転でできる磁気の光子1個のエネルギーは1.464×10-39Jです。この時、電気の光子1.464×10-39Jも作っている。
即ち、電子のラブは自転して磁気の光子を作ることができる原理は、電子のラブの比重が2.663×1056g/cm3であるからです。
２．    どうして電子のラブは１公転して電気の光子1個を作ることができるか。
電子のラブが1公転してできる物が電気の光子1個であるからです。
３．    電子のラブが自転して磁気の光子を作り、公転して電気の子の光子を作る。この構造を利用して発電機を作りたい。
電子のラブが自転して磁気の光子を作り、公転して電気の子の光子を作る。この構造を利用して発電機を作りたい。そのためにはとのようにするとできるか。
電子のラブが自転して磁気の光子を作り、公転して電気の子の光子を作る。この構造を利用して発電機を作るためには、電子のラブの構造を拡大したらよい。
４．    電子のラブの構造はどのようであるか。
地表の場合、電子のラブの公転軌道は、8.665×10-24Jm÷電子のラブの質量エネルギー＝8.665×10-24Jm÷(8.187×10-14J)＝1.058×10-10m、です。
電子のラブの自転軌道は、公転軌道×3.14÷1公転するときの自転数＝1.058×10-10m×3.14÷(7.96×107回)＝4.175×10-18m、です。
電子の構造は、直径1.058×10-10mの球体の内側に、自転軌道が4.175×10-18mの螺旋状の軌道が7.96×107個並んでいる。この中を1個の電子のラブが走っている。
５．    電子のラブの構造を拡大するとどのようであるか。
この型の拡大型を作る。拡大した拡大数と同じ数の電子のラブ(電子)を回転させる。
例えば、1010倍に拡大すると、直径1.058mの球体の内側に、 4.175×10-8mの螺旋状の軌道が7.96×107個並んでいる。この中を1010個の電子が走る。
例えば、1015倍に拡大すると、直径1.058×105mの球体の内側に、 4.175×10-3mの螺旋状の軌道が7.96×107個並んでいる。この中を1015個の電子が走る。
６．    発電機の構造を円形にした場合はどのようになるか。
電子のラブが1回転する場合を考える。
電子のラブは1.058×10-10mの軌道を4.175×10-18mの螺旋回転を7.96×107回回転しながら走る。
電子の構造は、直径1.058×10-10mの円形の内側に、4.175×10-18mの螺旋状の軌道が7.96×107個並んでいる。この中を1個の電子のラブが走っている。
７．    電子のラブが1回転する場合の拡大構造はどのようであるか。
電子のラブが1回転する場合、直径1.058×10-10mの円形の内側に、4.175×10-18mの螺旋状の軌道が7.96×107個並んでいる中を走る。
それで、直径1.058×10-10mの円形の内側に、4.175×10-18mの螺旋状の軌道が7.96×107個並んでいる物の拡大構造を作る。
例えば、1010倍に拡大すると、直径1.058mの円形の内側に、 4.175×10-8mの螺旋状の軌道が7.96×107個並んでいる。この中を1010個の電子が走る。
例えば、1015倍に拡大すると、直径1.058×105mの円径の内側に、 4.175×10-3mの螺旋状の軌道が7.96×107個並んでいる。この中を1015個の電子が走る。
例えば、1018倍に拡大すると、直径1.058×108mの円径の内側に、 4.175×1mの螺旋状の軌道が7.96×107個並んでいる。この中を1017個の電子が走る。
８．    電子のラブの回転の原理を利用して発電機を作る場合どのような事が重要であるか。
電子のラブの回転の原理を利用して発電機を作る場合、重要な事は、電子が螺旋回転しながら走る事によって電気の光子ができることです。
それで、電子を螺旋回転させ走らせる事により電気の光子を作る。これが発電機の原理となる。
９．    発電機の原理は電子を螺旋回転させ走らせる事により電気の光子を作る事です。
１０．    発電機の原理は電子を螺旋回転させ走らせる事により電気の光子を作る事であるから、発電機のサイズは任意である。螺旋回転の回転数も任意である。
【産業上の利用可能性】
【０００９】
素粒子を知ることは産業の発展に役立つ。
【符号の説明】
【００１０】
１    電子のラブ    
２    電子のラブの比重は2.663×1056g/cm3 
３    電子のラブの大きさは1.506×10-28mで自転軌道は4.175×10-18m    
４    電子のラブが1自転で作る磁気の光子1個のエネルギーは1.464×10-39J          
５    発電機    
６    螺旋回転    
７    直径1.058×108mの円径の内側に、 4.175×1mの螺旋状の軌道が7.96×107個並んでいる    
８    1017個の電子が走る    
９    比重が2.663×1056g/cm3である電子のラブが螺旋回転をするとき電気の光子を作る
【図１】
2019186976.tif 000003
【図２】
2019186976.tif 000004